(57)【要約】      （修正有）【課題】実画像を生成するカムコーダおよびテレビジョンであって、複数のレベル化液晶によって形成される平行光線フィルタデバイスを用い、テレビジョン表面の前および後において実画像投影および距離制御を提供する。【解決手段】実画像生成カムコーダによる平行光線捕捉および実画像テレビジョンによる捕捉放出は、視野内の別個の平行光線をフィルタリングする窓を有する複数のレベル化液晶によって形成される平行光線フィルタによって行われる。画像パラメータを用いる画像処理は、電子的に、または、前記画像を変位させ、実画像テレビジョンの前方および後方に実画像投影距離を制御するデバイスによって実施される。実画像投影範囲内への３次元画像の導入は、光線フィルトレーションステップ中に、液晶表面における別個の投影角度を用いる画像再生によって実施される。導入される前記３次元画像は観察者によって制御される。【選択図】なし【特許請求の範囲】
【請求項１】
実画像生成カムコーダおよびテレビジョンであって、複数のレベル化液晶によって形成される平行光線フィルタデバイス、テレビジョン表面の前および後において実画像投影および距離制御を得る画像パラメータを有する電気インパルス処理デバイス、実画像投影範囲における３次元画像の導入および制御、前記デバイスを得るプロセスを使用する実画像生成カムコーダおよびテレビジョンであって、実画像生成カムコーダが、複数のレベル化液晶を使用して視野からの全ての照射角度における実物体に起因する光線の捕捉を行うこと、実画像テレビジョンが、複数のレベル化液晶によってフィルタリングされた平行光線を使用し、実画像を生成する前記カムコーダによって捕捉された光線の特徴と同じ特徴を有する光線を放出する（ｉｓｓｕｅ）こと、前記テレビジョン表面の前および後において実画像投影および距離制御を得る画像パラメータを用いる電気インパルス処理デバイス、実画像投影範囲内への３次元画像導入および制御、前記デバイスを得るプロセスを特徴とする実画像生成カムコーダおよびテレビジョン。
【請求項２】
請求項１に記載の複数のレベル化液晶によって光線をフィルタリングするフィルタであって、フィルタが、複数の（３つ以上の）レベル化液晶表面を備えること、全ての液晶の表面内の窓の開口が１つの光線の選択を提供すべきであり、窓のいくつかのセットが平行光線を選択すべきであること、各表面上での窓の移動が、実画像カムコーダ内で所望の視野を覆うために存在すべきであること、１秒の何分の１かで視野に起因する全ての光線がフィルタリングされ、したがって、全ての光線が人間の目によって同時に捕捉されるという印象を与えることが必要とされることを特徴とするフィルタ。
【請求項３】
請求項１に記載の実画像カムコーダであって、複数のレベル化液晶によって形成される平行光線フィルタおよびＣＣＤ表面によって、カムコーダの視野内の全ての照射角度における実物体に起因する光線を捕捉することを特徴とするカムコーダ。
【請求項４】
請求項１に記載の実画像テレビジョンであって、平行光線のビームの角度移動を同じ時間シーケンスで再生しながら、実物体に起因する捕捉光線と同じ特徴を有する光線を再生し、そのような移動が、テレビジョンの前および後で実画像を形成するために画像の変位を処理することによってカムコーダによって実施されることを特徴とするテレビジョン。
【請求項５】
請求項１に記載の平行光線フィルタの使用による、実画像カムコーダによって捕捉される平行光線の処理であって、カムコーダ視野に起因する平行光線が、ＣＣＤに入射し、前記ＣＣＤが、光線のフィルタにおける角度付けの変動によって動き続ける画像を形成し、この画像が、画像受容器において再生され、反対方向に角度付けの反転を有する平行光線フィルタを通過し、平行光線が、別のＣＣＤに入射し、したがって、変位を有する別の画像を形成し、変位を有する前記画像が、実画像テレビジョン画像受容器に送られることを特徴とする処理。
【請求項６】
請求項１に記載の画像電子変位による、実画像カムコーダによって捕捉される平行光線の処理であって、カムコーダ視野に起因する平行光線が、ＣＣＤに入射し、前記光線が、前記光線のフィルタにおける角度付けの変動によって動き続ける画像を形成し、この前記画像が、実画像テレビジョン画像受容器において再生され、画像置換が、電子的に実施され、前記画像の中心部が、前記カムコーダの平行光線フィルタの中心光線方向の投影内に位置することを特徴とする処理。
【請求項７】
画像処理デバイスまたは実画像テレビジョンからの光線のフィルトレーションステップにおける、半透明液晶表面内へ平行光線を別個に投影するフィルタを用いる画像再生による実画像の投影の範囲内への３次元実画像の導入であって、実画像テレビジョン投影範囲
内に３次元画像を挿入するための半透明液晶セットが、画像再生デバイスおよび半透明液晶再生デバイスによって作られ、両方の再生デバイスが、半透明液晶で作られることができ、前記画像のオーバレイ操作が、前記画像処理デバイス内の画像再生デバイスまたは実画像テレビジョン画像再生デバイスによって実施され、挿入される３次元画像が、実画像カムコーダによって、または、実画像テレビジョンの平行光線フィルタにおけるそれぞれの角度付けについての別個の投影角度を用いるコンピュータグラフによって生成される画像によって得られる導入。
【請求項８】
請求項１に記載の実画像投影範囲内での３次元実画像の制御であって、実画像テレビジョンまでの、視界範囲内の被挿入３次元画像距離の変動が、画像受容器中心部に対する前記画像の側方変位によって得られ、物体が別の物体の前または後に位置するという印象を得るために、半透明液晶に挿入される画像の順次オーバレイ操作が、必要とされるときに実施されるべきであり、画像をオーバレイする別の方法が、別の画像上に画像をオーバレイすることによって画像内の物体輪郭を識別することによって電子的に実施され、３次元画像の縮小または拡大が、観察者の遠くまたは近くになるような距離の変動によってそれぞれ実施されるべきであり、さらにグラフィック３次元コンピュータ図面が、グラフィック物体を有する視野であったように導入されることが可能であり、導入される前記３次元画像が、種々の角度での３次元画像の記録を有するスキャンされるコマンドによって、その深さ、場所、および角度付けを観察者によって制御され、視野に挿入される３次元画像の制御が、マウス、ジョイスティック、感応性グローブ、またはカーソル位置を制御する任意の他のシステムによって実施され、実画像の同期を制御するために、以下の情報、すなわち、平行光線フィルタの投影から得られた画像、前記画像が得られた時刻、平行光線フィルタの表面の垂直場所に対するフィルタリングされる光線角度付け、平行光線フィルタの表面に対するフィルタリングされる光線の方向（水平または垂直）およびウェイ（右側または左側）投影が必要とされることを特徴とする３次元実画像の制御。
【請求項９】
請求項１に記載の平行光線によって形成される実画像であって、カムコーダ視野に起因するそのような光線のフィルトレーション、平行光線の処理、および実画像を形成するための再生を特徴とする実画像。
【請求項１０】
複数のレベル化液晶によって形成される平行光線デバイスを使用する実画像カムコーダであって、生成物を得るプロセスが、複数の液晶セットおよびＣＣＤである実画像カムコーダ。
【請求項１１】
複数のレベル化液晶によって形成される平行光線フィルタデバイスを使用する実画像テレビジョンであって、前記生成物を得るプロセスが、光電インパルス受容器のレベル化であり、前記光電インパルスが、複数のレベル化液晶によって形成される平行光線フィルタを用いて前記ＣＣＤから得られる実画像テレビジョン。
【請求項１２】
実画像の投影を得るために、画像からの電気インパルスを処理する電子処理デバイスであって、生成物を得るプロセスが、実画像カムコーダにおけるＣＣＤからの画像の実画像テレビジョン受容器に向かう変位によって電子的に実施され、前記画像の中心部が、前記カムコーダ平行線における中心光線方向投影内にあるべきである電子処理デバイス。
【請求項１３】
平行光線フィルタを使用して、実画像の投影を得る画像電気インパルス処理デバイスであって、前記生成物を得るプロセスが、画像再生によって、実画像テレビジョン受容器に向かって実画像カムコーダに入るＣＣＤ画像の変位によって実施され、平行光線フィルトレーションが、前記反対方向の角度付けを有し、該反対方向の光線が実画像カムコーダＣＣＤに入射する、画像電気インパルス処理デバイス。
【請求項１４】
複数のレベル化液晶によって形成される平行光線であって、生成物を得るプロセスが、必要とされるだけ多くの複数のレベル化液晶によるものであり、同じ結晶およびレベル化液晶内の開口する窓の同期が、平行光線が視野を通過することを可能にすべきであり、窓の移動が、視野の光線における別個の角度のフィルトレーションを提供すべきであり、平行光線の別個のフィルトレーション角度を有する窓の開口の頻度が、全ての光線が同時にフィルタリングされるという印象を観察者に与えるようなものであるべきである平行光線。
【請求項１５】
実画像投影範囲内に３次元画像を導入する装置であって、生成物を得るプロセスが、画像であって、実画像カムコーダによって、または、実画像テレビジョンの平行光線フィルタにおけるそれぞれの投影場からの別個の画像に関するグラフィック処理によって得られる、画像である装置。
【請求項１６】
実画像内の投影場において３次元画像を制御する装置であって、生成物を得るプロセスが、マウス、ジョイスティック、感応性グローブ、またはカーソルを位置決めする任意の他の制御システムによって実施される装置。
【発明の詳細な説明】
【技術分野】
【０００１】
本発明は、視野からの光線を３次元的に捕捉するカムコーダ（カメラとも呼ばれる）に関し、同様に、実画像を生成するテレビジョンに関し、前記カムコーダおよびテレビジョンは、複数のレベル化液晶によって形成される平行光線フィルタデバイスを使用し、さらに、前記発明は、画像処理に関し、画像処理は、電子的に実施される、または、画像を変位させ、実画像テレビジョンの表面に対して前方および後方に実画像投影距離を制御するデバイスによって実施され、さらに、前記発明は、観察者によって制御される３次元画像を実画像投影場内へ導入する処理方法に関する。
【背景技術】
【０００２】
現在、カムコーダおよび実画像テレビジョンは、主カラーフィルタを有する２つの液晶表面による平行光線フィルトレーション、および、カメラ内のＣＣＤ（電荷結合素子）に入る形成画像の電子処理を提供するために存在する（ＢＲ１０２０１３０１３５５９３）。
【０００３】
存在する問題は、主カラー光フィルタを有する平行光線フィルタが、実物体のカラーを使用しないこと、実画像処理が、実画像テレビジョンの前面および後面に向かって実画像投影距離を制御しないこと、さらに、前記処理が、視野内に実画像をもたらさないことである。
【先行技術文献】
【特許文献】
【０００４】
【特許文献１】ＢＲ１０２０１３０１３５５９３
【発明の概要】
【発明が解決しようとする課題】
【０００５】
平行光線フィルタについての解決策は、整列した小さな窓を有する複数の液晶表面を使用して、視野内の光線をフィルタリングすることである。中間表面は、平行光線の選択を改善し、主カラーフィルタの使用を必要としない。実画像テレビジョンモニタの前および後に向かって実画像投影距離を制御するために実画像を処理する解決策は、画像受容器中心部に対して、実画像テレビジョン画像生成デバイス内の画像を変位させることである。
【０００６】
実画像テレビジョンの視野内へ実画像を挿入する解決策は、光線フィルトレーションステップ中に液晶表面における別個の視野角度を用いる画像再生による導入である。導入される３次元画像は、観察者によって、その深さおよび場所によって制御され、その変位が、画像再生デバイスの中心部に対して変更され、また同様に、他の画像に対するそのオーバレイおよびそのサイズが変更される。
【課題を解決するための手段】
【０００７】
平行光線フィルタは、複数の液晶表面によって形成される。光線は、開口窓を通して第１の液晶表面から最後の液晶表面まで直線で通過すべきである。平行光線は、窓のセットによって得られる。窓の同期化移動は、視野内の別個の光線を平行にフィルタリングすることになる。窓のセットの迅速移動は、視野内の全ての光線の角度が同時にフィルタリン
グされるという視覚的効果が得られるように存在すべきである。レベル化液晶の数が多ければ多いほど、表面の間の接近が密になり、また、同じ表面内の開口窓の接近が密になる。
【０００８】
実画像カムコーダ内のＣＣＤに入射する画像の第１の電子処理手段は、上から下また右から左への方向反転がない画像変位による。画像変位方向は、平行光線が投影されるという点で同じであるべきである。画像は、前記実画像カメラの前の視野からの点の投影が、実画像テレビジョンモニタに対する点に向かって行われるように、常に変位されるべきである。平行光線フィルタの中心部に対して遠くにまたは近くに変位した被処理画像は、実画像カメラに関する画像捕捉平面の前方または後方に投影を決定することになる。
【０００９】
実画像カムコーダＣＣＤに入射する画像の第２の電子処理手段は、画像受容器において再生される画像を変位させることによる。画像受容器によって放出される光線は、カメラ内の平行光線フィルタの同じ方向および反対方向の平行光線フィルタによってフィルタリングされるべきである。フィルタリングされた光線はＣＣＤに入射する。ＣＣＤ中心部に対して遠くにまたは近くに変位したときの入射画像は、実画像カメラに関する画像捕捉平面の前方または後方に投影を決定する役割を果たすことになる。こうした画像変位は、ＣＣＤ表面に対してモニタ表面を離すことによって行われうる。画像変位は、実画像カメラから前方で一点を維持し、実画像テレビジョンに対して一点を画像再生するようになされるべきである。
【００１０】
実画像テレビジョン視野内への実画像挿入は、画像処理デバイスまたは実画像テレビジョンの光線フィルトレーションのステップにおいて、平行光線フィルタの別個の投影を用いる画像再生によって、半透明液晶表面内に画像を導入することによって行われる。実画像テレビジョン投影範囲内に３次元画像を挿入するための半透明液晶セットは、画像再生デバイスおよび半透明液晶再生デバイスによって作られる。両方の前記再生デバイスは、半透明液晶で作られるべきである。この画像オーバレイ操作は、画像処理デバイス内の画像再生デバイスまたは実画像テレビジョン画像再生デバイスによって実施される。３次元的に挿入された画像は、実画像カムコーダによって、または、実画像テレビジョンの平行光線フィルタのそれぞれの角度付けについて別個の投影角度を用いるコンピュータグラフによって生成される画像によって得られる。実画像テレビジョンまでの、視野内の被挿入３次元画像距離の変動が、画像受容器中心部に対する画像の側方変位によって得られる。物体が別の物体の前または後に位置するという印象を得るために、前記半透明液晶に挿入される画像を順次オーバレイすることが、必要とされるときに実施されるべきである。
【００１１】
画像をオーバレイする別の方法は、別の画像上に画像をオーバレイすることによって画像内の物体の輪郭を識別することによって電子的に実施される。３次元画像の縮小または拡大が、観察者の遠くまたは近くになるよう距離を変動させることによってそれぞれ実施されるべきである。
【００１２】
３次元グラフィック図面が、グラフィック物体を有する視野であるものとして導入されることができる。導入されるこうした３次元画像は、画像の深さ、場所、および角度付けに関連するため、種々の角度における３次元的に記録された画像を有するスキャンされるコマンドによって観察者によって制御可能である。視野に挿入される３次元画像は、マウス、ジョイスティック、感応性グローブ、または任意の他のカーソル位置制御システムによって制御される。実画像の同期を制御するために、以下の情報、すなわち、平行光線フィルタの投影から得られた画像、前記画像が捕捉された時刻、平行光線フィルタ表面の垂直場所に対するフィルタリングされる光線角度付け、平行光線フィルタ表面に対する前記フィルタリングされる光線の方向（水平または垂直）およびウェイ（右側または左側）投影が必要とされる。
【００１３】
新規性は、前記平行光線を、視野から生じる光線のカラーからオリジナルのカラーを光線に持たせることによってフィルタリングするいくつかのレベル化液晶表面と、前記実画像投影を実画像テレビジョンに対して前方および後方に制御させる画像処理と、前記実画像テレビジョンの視野であって、観察者によってモニタされる、前記実画像テレビジョンの視野内への３次元画像の挿入である。
【図面の簡単な説明】
【００１４】
【図１】複数の液晶（１、２、および３）を使用する平行光線フィルタおよび前記平行光線を得るプロセスを概略的に示す。
【図２】実画像カムコーダ（４および５によって形成されるセット）と、画像処理（７、８、および９によって形成されるセット）と、実画像テレビジョン（１１および１２によって形成されるセット）と、前記アイテムを得るプロセスとを概略的に示す。
【図３】Ｆｉｇｕｒａ３は、上側部の視野に４つの実物体（α、β、α’、およびβ’）を示す実画像カムコーダを概略的に示し、Ｆｉｇｕｒａ４は、上側部に２つの実物体（γおよびγ’）を示す実画像カムコーダを概略的に示し、Ｆｉｇｕｒａ５は、半透明液晶表面（１４）内の３次元投影画像（γ１およびγ１’）を含む３次元画像の挿入機能付き実画像テレビジョン（１３、１４、および１５によって形成されるセット）を概略的に示す。
【発明を実施するための形態】
【００１５】
図１は、複数の液晶（１、２、および３）を使用する平行光線フィルタおよび前記平行光線を得るプロセスを概略的に示す。視野（その端部が物体を指している）は、前記図の上側部に位置する。フィルタリングされた光線は、前記図の下側部に位置する。前記図１では、左側で見出される図面は、時刻Ｔ１を示し、右側で見出される図面は、時刻Ｔ２を示す。
【００１６】
番号１は、前記視野の前に位置する液晶表面を示し、それにより、平行光線が内部を通過する。
番号２は、前表面と後表面との間の液晶中間表面を示し、前記中間表面は、１つまたは複数の表面とすることができる。
【００１７】
番号３は、液晶後表面を示し、それにより、フィルタリングされた平行光線が通過して出て行く。
文字Ｘは、時刻Ｔ１における液晶表面（１）内の窓を示す。文字Ｘ’は、時刻Ｔ２における同じ液晶表面（１）内の別の場所の窓を示す。
【００１８】
文字Ｘ１は、時刻Ｔ１におけるそれぞれの液晶中間表面（２）内の窓を示す。文字Ｘ１’は、時刻Ｔ２における同じ表面（２）内の別の場所の窓を示す。
文字Ｘ２は、時刻Ｔ１における液晶表面（３）内の窓を示す。文字Ｘ２’は、時刻Ｔ２における同じ表面（３）内の別の場所の窓を示す。
【００１９】
点線αは、時刻Ｔ１において窓Ｘ、Ｘ１、およびＸ２を通る平行光線フィルタ視野内のフィルタリングされた光線を示し、光線βは、時刻Ｔ２において窓Ｘ’、Ｘ１’、およびＸ２’を通る平行光線視野と異なる角度付けを有する。
【００２０】
視野から出て来る光線αは、時刻Ｔ１にて、液晶表面１、２、および３の窓Ｘ、Ｘ１、およびＸ２をそれぞれ通過する。窓Ｘ１は、窓Ｘを通過する他の光線が、窓Ｘ２に向けられていないときに通過することを可能にしない。前記時刻Ｔ２にて、窓移動が前記液晶表面にわたって起こり、光線βであって、光線αと別個である、光線βのフィルトレーショ
ンを伴う。いくつかの時刻におけるいくつかの窓位置は、視野から別個の光線を選択することになる。液晶表面内の他の窓のセットは、窓Ｘ、Ｘ１、およびＸ２の移動と同じ移動を実施し、したがって、前記セットに平行である光線を選択する。１秒の何分の１かでの迅速窓移動は、視野からいくつかのフィルタリングされる光線角度を提供し、全てのフィルタリングされる光線角度が同時に出ているという視覚的印象を観察者に与える。中間表面（２）の数が多ければ多いほど、液晶表面内の窓のセットが、益々密になり、したがって、平行光線の集中が改善される場合がある。
【００２１】
図２は、実画像カムコーダ（４および５によって形成されるセット）と、画像処理（７、８、および９によって形成されるセット）と、実画像テレビジョン（１１および１２によって形成されるセット）と、前記アイテムを得るプロセスとを概略的に示す。実画像カムコーダ（その端部が物体ＡおよびＢを指している）は、前記図の上側部に位置する。実画像テレビジョン（その端部が観察者を指している）は、前記図の下側部に位置する。図２では、左側図面は時刻Ｔ３を示し、右側の図面は時刻Ｔ４を示す。
【００２２】
番号４は、いくつかの液晶によって形成される平行光線フィルタを示す。
番号５はＣＣＤを示す。
番号６は、前記ＣＣＤから画像受容器に向かう光電インパルスによる画像伝送を示す。
【００２３】
番号７は画像受容器を示す。
番号８は、いくつかの液晶によって形成される平行光線フィルタを示す。
番号９はＣＣＤを示す。
【００２４】
番号１０は、記録または実画像テレビジョンに対する光電インパルスによる画像伝送を示す。
番号１１は画像受容器を示す。
【００２５】
番号１２は、いくつかの液晶によって形成される平行光線フィルタを示す。
文字Ａは、時刻Ｔ３にて、文字Ｂとしての別の実物体の後に配置される実物体である。
文字Ａ’は、時刻Ｔ４にて、文字Ｂ’としての別の実物体の後に配置される実物体である。
【００２６】
文字Ａ１およびＢ１は、実画像カムコーダ内での、前記平行光線フィルタ（４）によってフィルタリングされた光線による、前記ＣＣＤ表面（５）への画像の入射を示し、前記光線は、時刻Ｔ３における実物体ＡおよびＢに起因する。
【００２７】
文字Ａ１’およびＢ１’は、時刻Ｔ４における実物体Ａ’およびＢ’に起因する、実画像カムコーダ内での、前記平行光線フィルタ（４）によってフィルタリングされた光線による、前記ＣＣＤ表面（５）への画像の入射を示す。
【００２８】
文字Ａ２およびＢ２は、時刻Ｔ３における、画像Ａ１〜Ｂ１による前記ＣＣＤ（５）から生じる光電インパルスの、画像受容器（７）内での画像再生を示す。
文字Ａ２’およびＢ２’は、画像受容器（７）内での光電インパルス（６）の画像再生を示し、前記インパルスは、時刻Ｔ４において、画像Ａ１’〜Ｂ１’の前記ＣＣＤ（５）から生じる。
【００２９】
文字Ａ３およびＢ３は、時刻Ｔ３における、画像再生デバイス（７）内の画像Ａ２〜Ｂ２に起因する、平行光線フィルタ（８）によってフィルタリングされた光線からの、ＣＣＤ（９）表面への画像の入射を示す。
【００３０】
文字Ａ３’およびＢ３’は、時刻Ｔ４における、画像再生デバイス（７）内の画像Ａ２’〜Ｂ２’に起因する、前記平行光線フィルタ（８）によってフィルタリングされた光線からの、ＣＣＤ（９）表面への画像の入射を示す。
【００３１】
文字Ａ４およびＢ４は、実画像テレビジョン受容器（１１）で形成された画像を示し、前記画像は、時刻Ｔ３において画像Ａ３〜Ｂ３についての前記ＣＣＤ（９）からの光電インパルスから生じる。
【００３２】
文字Ａ４’およびＢ４’は、実画像テレビジョン受容器（１１）で形成された画像を示し、前記画像は、時刻Ｔ４において画像Ａ３’〜Ｂ３’からの前記ＣＣＤ（９）光電インパルスから生じる。
【００３３】
文字Ａ５およびＢ５は、光線であって、受容器（１１）の画像Ａ４〜Ｂ４に起因する、光線が時刻Ｔ３において前記平行光線フィルタ（１２）を通過した後に前記実画像テレビジョンの前の空間で形成された光線の投影を示す。
【００３４】
文字Ａ５’およびＢ５’は、光線であって、受容器（１１）の画像Ａ４’〜Ｂ４’に起因する、光線が時刻Ｔ４において前記平行光線フィルタ（１２）を通過した後に前記実画像テレビジョンの前の空間で形成された光線の投影を示す。
【００３５】
前記実画像テレビジョンは、実画像（Ａ５、Ｂ５、Ａ５’、およびＢ５’）を形成するために、前記光線が１秒の何分の１かで放出されるときに、前記時刻Ｔ３およびＴ４において光線が通過するという認識を観察者に与える。
【００３６】
前記実物体ＡおよびＢは、時刻Ｔ３において、左側に傾斜して前記平行光線フィルタ（４）を通過する光線を放出する。前記平行光線は、前記ＣＣＤ（５）に入射し、画像Ａ１〜Ｂ１を形成する。画像は、ＣＣＤ（５）表面で形成され、物体は、左側の遠くに位置する。ＣＣＤ（５）光電インパルス（６）伝送は、画像受容器（７）で画像を再生する。画像受容器（７）によって放出される光線のフィルトレーションは、前記光線フィルタ（４）に対して対向する角度付けを有する別の平行光線フィルタ（８）によって実施される。平行光線のこうしたフィルトレーションは、前記ＣＣＤ（９）で画像Ａ３〜Ｂ３を生成する。ＣＣＤ（９）光電インパルスは、次に、前記実画像テレビジョンに送られる。画像再生デバイス（１１）は、画像Ａ４〜Ｂ４を再生し、画像Ａ４〜Ｂ４は、前記光線フィルタ（４）の角度付けと同じ角度付けによって前記平行光線フィルタ（１２）を通過する光線を生成する。前記実画像テレビジョンによって放出される光線は、実画像カムコーダでフィルタリングされた光線と同じ特徴を有する。時刻Ｔ４にて、平行光線フィルタの傾斜は、右側に向けられ、次に、全プロセスがここで繰り返される。さらなる時刻にて、別個の平行光線が、前記視野からフィルタリングされ、したがって、図２に述べるように、全プロセスが実施される。１秒の何分の１かで放出された別個の平行光線は、テレビジョン投影範囲が別個の平行光線で同時に満たされているという印象を観察者に与える。前記観察者による全ての別個の平行光線の同時の認識は、実画像が、前記実画像テレビジョンの前および後に投影されているという印象を、前記観察者が、持つことを可能にする。
【００３７】
Ｆｉｇｕｒａ３は、上側部の視野に４つの実物体（α、β、α’、およびβ’）を示す実画像カムコーダを概略的に示す。実画像テレビジョン投影範囲では、下側部に画像（α１〜β１およびα１’〜β１’）が示される。矢印（Ｉ）は、３次元画像（１３、１４、および１５）を挿入するための前記実画像テレビジョン画像受容器（１３）への画像の伝送を示す。
【００３８】
Ｆｉｇｕｒａ４は、上側部に２つの実物体（γおよびγ’）を示す実画像カムコーダを
概略的に示す。実画像テレビジョン投影範囲では、角度的投影の画像は、上側部でフィルタリングされた光線（γ１およびγ１’）で示される。矢印（ＩＩ）は、３次元画像の挿入機能付き前記実画像テレビジョン（１３、１４、および１５によって形成されるセット）内の半透明画像受容器（１４）への画像伝送を示す。
【００３９】
Ｆｉｇｕｒａ５は、半透明液晶表面（１４）内の３次元投影画像（γ１およびγ１’）を含む３次元画像の挿入機能付き実画像テレビジョン（１３、１４、および１５によって形成されるセット）を概略的に示し、Ｆｉｇｕｒａ５はまた、前記実画像テレビジョン投影範囲内への３次元画像の包含を得るプロセスを示す。画像受容器（１３）は、Ｆｉｇｕｒａ５の上側部に位置する。
【００４０】
受像機能付き前記半透明液晶画像受容器（１４）は、画像受容器（１３）にオーバレイされる。平行光線フィルタ（１５）は、前記図の下側部に位置する。図面の左側は時刻Ｔ５を示し、右側は時刻Ｔ６を示す。
【００４１】
番号１３は、画像受容器を示す。
番号１４は、半透明液晶受容器を示す。
番号１５は、複数の液晶を有する平行光線フィルタを示す。
【００４２】
文字α１は、時刻Ｔ５における実画像カメラから遠い実物体に対応する画像である。
文字α’は、時刻Ｔ６における実画像カメラから遠い実物体に対応する画像である。
文字β１は、時刻Ｔ５における実画像カメラから近い実物体に対応する画像である。
【００４３】
文字β’は、時刻Ｔ６における実画像カメラに近い実物体に対応する画像である。
文字γ１は、３次元画像（Ｆｉｇｕｒａ４）を挿入するために、または、時刻Ｔ５における前記実画像テレビジョン平行光線フィルタ角度投影に整合する角度投影を有する３次元コンピュータグタフィックを挿入するために、別の実画像カムコーダに起因し、半透明液晶内に再生された画像である。
【００４４】
文字γ１’は、３次元画像（Ｆｉｇｕｒａ４）を挿入するために、または、時刻Ｔ６における前記実画像テレビジョン平行光線フィルタ角度投影に整合する角度投影を有する３次元コンピュータグタフィックを挿入するために、別の実画像カムコーダに起因し、半透明液晶内に再生された画像である。
【００４５】
文字α２、β２、およびγ２、ならびに、α２’、β２’、およびγ２’は、前記時刻Ｔ５およびＴ６に前記画像α１〜β１およびγ１ならびにα１’〜β１’およびγ１’が前記平行光線フィルタ（１５）をそれぞれ通過することに起因する平行光線によって形成された画像の投影である。
【００４６】
３次元画像の挿入機能付き前記実画像テレビジョンは、実画像（α２、β２、およびγ２、ならびに、α２’、β２’、およびγ２’）を形成するために、前記光線が１秒の何分の１かで放出される間に、前記時刻Ｔ５およびＴ６において光線が通過するという認識を観察者に与える。
【００４７】
前記時刻Ｔ５にて、３次元画像の挿入機能付き前記実画像テレビジョンは、画像が処理された後の、実画像カメラ（図３）からの実物体（αおよびβ）に起因する画像α１〜β１を有する画像受容器（１３）を示す。前記半透明画像受容器（１４）は、３次元画像（Ｆｉｇｕｒａ４）を挿入するために、または、前記実画像テレビジョン平行光線フィルタ角度投影に整合する角度投影を有する３次元コンピュータグタフィックを挿入するために、前記画像カメラに起因する画像（γ１）を受取る。前記半透明画像受容器（１４）内の
画像（γ１）は、前記実画像カメラ平行光線フィルタ投影の角度付けと同じ角度付けを有する投影を有する。画像α１〜β１上への画像γ１のオーバレイが起こる。平行光線フィルタ（１５）は、画像α１〜β１上にオーバレイされる画像γ１に起因する光線をフィルタリングする。時刻Ｔ６にて、平行光線フィルタの傾斜は、Ｔ５と反対の角度付けになるよう向けられ、全フィルトレーションプロセスが、物体α’、β’、およびγ１に関して繰り返される。異なる時刻にて、前記視野からの別個の平行光線はフィルタリングされ、したがって、Ｆｉｇｕｒａ３およびＦｉｇｕｒａ５に述べる全プロセスが実施される。１秒の何分の１かで放出された別個の平行光線は、前記別個の平行光線が実画像テレビジョン投影範囲を同時に満たすという印象を観察者に与える。
【００４８】
前記時刻Ｔ５にて、前記α２画像の後に３次元実画像を挿入するために、前記画像γ１は、α１に対して左側に変位されるべきであり、時刻Ｔ６にて、画像γ１’は、α１’に対して右側に変位されるべきであり、そのとき、画像γ１およびγ１’の寸法が減少する。前記時刻Ｔ５にて、β２画像の前に３次元実画像を挿入するために、前記画像γ１は、β１に対して右側に変位されるべきであり、前記時刻Ｔ６にて、画像γ１’は、β１’に対して左側に変位されるべきであり、そのとき、画像γ１およびγ１’の寸法が増加する。前記実画像テレビジョン投影範囲に挿入されるときの３次元画像は、任意の他の画像に対して遠いまたは近い場合、３次元画像の挿入機能付き実画像テレビジョン半透明液晶において前記任意の他の画像に対して後または前に位置すべきである。
【００４９】
表現「カムコーダ（ｃａｍｃｏｄｅｒ）」および「カメラ（ｃａｍｅｒａ）」は、本特許出願明細書において等価な意味を有するものとして使用される。
【図１】
2019176499.tif 000002
【図２】
2019176499.tif 000003
【図３】
2019176499.tif 000004
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
３次元（３Ｄ）画像を捕捉および再生するための光学システムであって、該光学システムは、
該システムの中心軸線に対して第１の位置に配置された物体の視野から、第１の角度で第１の平行光線を生成するための第１のフィルタと、
前記第１の角度で前記第１の位置の一方の側に位置が変位した前記第１のフィルタからの前記第１の平行光線を捕捉するための第１のＣＣＤと、
を含む、カムコーダと、
前記捕捉された第１の平行光線から、前記システムの前記中心軸線に対して前記第１の角度とは反対の第２の角度で、前記システムの前記中心軸線に対して前記第１の位置の反対側に前記第２の角度で位置が変位した第２の平行光線を生成するための第２のフィルタと、
前記第２の角度で変位した前記第２のフィルタからの前記第２の平行光線を捕捉するための第２のＣＣＤと、
を含む、前記捕捉された第１の平行光線を処理するための画像処理装置と、
前記捕捉された第２の平行光線から、前記第１の角度で前記システムの中心軸線に対して前記第１の位置に位置した第３の平行光線を前記第１の角度で生成するための第３のフィルタと、
実画像を表示するためのディスプレイと、
を含む、画像を再生するためのテレビジョンと、
を備え、
前記第１、第２および第３のフィルタはそれぞれ、第１の可動液晶面と、第２の可動液晶面と、第３の可動液晶面とを含み、
前記画像処理装置は、前記第１、第２および第３のフィルタそれぞれの前記第１、第２および第３の可動液晶面の動きを制御して、前記第１および第２の角度を経時的に連続的に変化させ、前記ディスプレイの前および後に実画像を形成し、前記テレビジョンによって表示される３Ｄ画像の知覚を提供する、
光学システム。
【請求項２】
前記第１、第２および第３の可動液晶面はそれぞれ、開口を有する複数の窓が設けられ、窓の前記開口は１つの光線の選択を可能にし、数セットの窓は平行光線を選択する、請求項１に記載の光学システム。
【請求項３】
前記カムコーダは、前記第１のフィルタによって、前記カムコーダの視野内の全照射角度において前記物体から発せられる光線を捕捉する、請求項１に記載の光学システム。
【請求項４】
前記テレビジョンは、前記物体から発せられた前記光線と同じ特徴を有する光線を再生して、前記テレビジョンの前記前および前記後に実画像を形成する、請求項１に記載の光学システム。
【請求項５】
前記第１のＣＣＤは、前記第１の角度が変化すると移動する第２の画像を形成し、前記第２のＣＣＤは、前記第１の角度とは反対の前記第２の角度が変化すると移動する第３の画像を形成し、前記テレビジョンに送られる変位した別の画像を形成する、請求項１に記載の光学システム。
【請求項６】
前記第２の画像の中心部は、前記第１のフィルタの中心光線方向の投影内に位置する、請求項５に記載の光学システム。
【請求項７】
前記ディスプレイの前記前および前記後の前記実画像は、前記第３のフィルタの各角度に対して別個の投影角を有するコンピュータグラフによって作成された画像によって形成される、請求項１に記載の光学システム。
【請求項８】
前記第１のフィルタからの前記第１の平行光線によって形成された画像の中心部は、前記第１の平行光線の中心光線方向投影において前記第１の位置の一方の側に位置が変位する、請求項１に記載の光学システム。
【請求項９】
前記ディスプレイの前および後に形成される前記実画像は、前記第３のフィルタにおける各投影領域からの別個の画像を用いたグラフィック処理によって得られる、請求項１に記載の光学システム。
【請求項１０】
実画像投影範囲内に３次元画像を導入する装置であって、実画像を得るプロセスが、画像であって、実画像カムコーダによって、または、実画像テレビジョンの平行光線フィルタにおけるそれぞれの投影場からの別個の画像に関するグラフィック処理によって得られる、画像である装置。
【請求項１１】
実画像内の投影場において３次元画像を制御する装置であって、実画像を得るプロセスにおいて、視野に挿入される３次元画像は、マウス、ジョイスティック、感応性グローブ、または任意の他のカーソル位置制御システムによって制御される装置。
【手続補正２】
【補正対象書類名】明細書
【補正対象項目名】００４９
【補正方法】変更
【補正の内容】
【００４９】
表現「カムコーダ（ｃａｍｃｏｄｅｒ）」および「カメラ（ｃａｍｅｒａ）」は、本特許出願明細書において等価な意味を有するものとして使用される。
［形態１］
実画像生成カムコーダおよびテレビジョンであって、複数のレベル化液晶によって形成される平行光線フィルタデバイス、テレビジョン表面の前および後において実画像投影および距離制御を得る画像パラメータを有する電気インパルス処理デバイス、実画像投影範囲における３次元画像の導入および制御、前記デバイスを得るプロセスを使用する実画像生成カムコーダおよびテレビジョンであって、実画像生成カムコーダが、複数のレベル化液晶を使用して視野からの全ての照射角度における実物体に起因する光線の捕捉を行うこと、実画像テレビジョンが、複数のレベル化液晶によってフィルタリングされた平行光線を使用し、実画像を生成する前記カムコーダによって捕捉された光線の特徴と同じ特徴を有する光線を放出する（ｉｓｓｕｅ）こと、前記テレビジョン表面の前および後において実画像投影および距離制御を得る画像パラメータを用いる電気インパルス処理デバイス、実画像投影範囲内への３次元画像導入および制御、前記デバイスを得るプロセスを特徴とする実画像生成カムコーダおよびテレビジョン。
［形態２］
形態１に記載の複数のレベル化液晶によって光線をフィルタリングするフィルタであって、フィルタが、複数の（３つ以上の）レベル化液晶表面を備えること、全ての液晶の表面内の窓の開口が１つの光線の選択を提供すべきであり、窓のいくつかのセットが平行光線を選択すべきであること、各表面上での窓の移動が、実画像カムコーダ内で所望の視野を覆うために存在すべきであること、１秒の何分の１かで視野に起因する全ての光線がフィルタリングされ、したがって、全ての光線が人間の目によって同時に捕捉されるという印象を与えることが必要とされることを特徴とするフィルタ。
［形態３］
形態１に記載の実画像カムコーダであって、複数のレベル化液晶によって形成される平行光線フィルタおよびＣＣＤ表面によって、カムコーダの視野内の全ての照射角度における実物体に起因する光線を捕捉することを特徴とするカムコーダ。
［形態４］
形態１に記載の実画像テレビジョンであって、平行光線のビームの角度移動を同じ時間シーケンスで再生しながら、実物体に起因する捕捉光線と同じ特徴を有する光線を再生し、そのような移動が、テレビジョンの前および後で実画像を形成するために画像の変位を処理することによってカムコーダによって実施されることを特徴とするテレビジョン。
［形態５］
形態１に記載の平行光線フィルタの使用による、実画像カムコーダによって捕捉される平行光線の処理であって、カムコーダ視野に起因する平行光線が、ＣＣＤに入射し、前記ＣＣＤが、光線のフィルタにおける角度付けの変動によって動き続ける画像を形成し、この画像が、画像受容器において再生され、反対方向に角度付けの反転を有する平行光線フィルタを通過し、平行光線が、別のＣＣＤに入射し、したがって、変位を有する別の画像を形成し、変位を有する前記画像が、実画像テレビジョン画像受容器に送られることを特徴とする処理。
［形態６］
形態１に記載の画像電子変位による、実画像カムコーダによって捕捉される平行光線の処理であって、カムコーダ視野に起因する平行光線が、ＣＣＤに入射し、前記光線が、前記光線のフィルタにおける角度付けの変動によって動き続ける画像を形成し、この前記画像が、実画像テレビジョン画像受容器において再生され、画像置換が、電子的に実施され、前記画像の中心部が、前記カムコーダの平行光線フィルタの中心光線方向の投影内に位置することを特徴とする処理。
［形態７］
画像処理デバイスまたは実画像テレビジョンからの光線のフィルトレーションステップにおける、半透明液晶表面内へ平行光線を別個に投影するフィルタを用いる画像再生による実画像の投影の範囲内への３次元実画像の導入であって、実画像テレビジョン投影範囲内に３次元画像を挿入するための半透明液晶セットが、画像再生デバイスおよび半透明液晶再生デバイスによって作られ、両方の再生デバイスが、半透明液晶で作られることができ、前記画像のオーバレイ操作が、前記画像処理デバイス内の画像再生デバイスまたは実画像テレビジョン画像再生デバイスによって実施され、挿入される３次元画像が、実画像カムコーダによって、または、実画像テレビジョンの平行光線フィルタにおけるそれぞれの角度付けについての別個の投影角度を用いるコンピュータグラフによって生成される画像によって得られる導入。
［形態８］
形態１に記載の実画像投影範囲内での３次元実画像の制御であって、実画像テレビジョンまでの、視界範囲内の被挿入３次元画像距離の変動が、画像受容器中心部に対する前記画像の側方変位によって得られ、物体が別の物体の前または後に位置するという印象を得るために、半透明液晶に挿入される画像の順次オーバレイ操作が、必要とされるときに実施されるべきであり、画像をオーバレイする別の方法が、別の画像上に画像をオーバレイすることによって画像内の物体輪郭を識別することによって電子的に実施され、３次元画像の縮小または拡大が、観察者の遠くまたは近くになるような距離の変動によってそれぞれ実施されるべきであり、さらにグラフィック３次元コンピュータ図面が、グラフィック物体を有する視野であったように導入されることが可能であり、導入される前記３次元画像が、種々の角度での３次元画像の記録を有するスキャンされるコマンドによって、その深さ、場所、および角度付けを観察者によって制御され、視野に挿入される３次元画像の制御が、マウス、ジョイスティック、感応性グローブ、またはカーソル位置を制御する任意の他のシステムによって実施され、実画像の同期を制御するために、以下の情報、すなわち、平行光線フィルタの投影から得られた画像、前記画像が得られた時刻、平行光線フィルタの表面の垂直場所に対するフィルタリングされる光線角度付け、平行光線フィルタの表面に対するフィルタリングされる光線の方向（水平または垂直）およびウェイ（右側または左側）投影が必要とされることを特徴とする３次元実画像の制御。
［形態９］
形態１に記載の平行光線によって形成される実画像であって、カムコーダ視野に起因するそのような光線のフィルトレーション、平行光線の処理、および実画像を形成するための再生を特徴とする実画像。
［形態１０］
複数のレベル化液晶によって形成される平行光線デバイスを使用する実画像カムコーダであって、生成物を得るプロセスが、複数の液晶セットおよびＣＣＤである実画像カムコーダ。
［形態１１］
複数のレベル化液晶によって形成される平行光線フィルタデバイスを使用する実画像テレビジョンであって、前記生成物を得るプロセスが、光電インパルス受容器のレベル化であり、前記光電インパルスが、複数のレベル化液晶によって形成される平行光線フィルタを用いて前記ＣＣＤから得られる実画像テレビジョン。
［形態１２］
実画像の投影を得るために、画像からの電気インパルスを処理する電子処理デバイスであって、生成物を得るプロセスが、実画像カムコーダにおけるＣＣＤからの画像の実画像テレビジョン受容器に向かう変位によって電子的に実施され、前記画像の中心部が、前記カムコーダ平行線における中心光線方向投影内にあるべきである電子処理デバイス。
［形態１３］
平行光線フィルタを使用して、実画像の投影を得る画像電気インパルス処理デバイスであって、前記生成物を得るプロセスが、画像再生によって、実画像テレビジョン受容器に向かって実画像カムコーダに入るＣＣＤ画像の変位によって実施され、平行光線フィルトレーションが、前記反対方向の角度付けを有し、該反対方向の光線が実画像カムコーダＣＣＤに入射する、画像電気インパルス処理デバイス。
［形態１４］
複数のレベル化液晶によって形成される平行光線であって、生成物を得るプロセスが、必要とされるだけ多くの複数のレベル化液晶によるものであり、同じ結晶およびレベル化液晶内の開口する窓の同期が、平行光線が視野を通過することを可能にすべきであり、窓の移動が、視野の光線における別個の角度のフィルトレーションを提供すべきであり、平行光線の別個のフィルトレーション角度を有する窓の開口の頻度が、全ての光線が同時にフィルタリングされるという印象を観察者に与えるようなものであるべきである平行光線。
［形態１５］
実画像投影範囲内に３次元画像を導入する装置であって、生成物を得るプロセスが、画像であって、実画像カムコーダによって、または、実画像テレビジョンの平行光線フィルタにおけるそれぞれの投影場からの別個の画像に関するグラフィック処理によって得られる、画像である装置。
［形態１６］
実画像内の投影場において３次元画像を制御する装置であって、生成物を得るプロセスが、マウス、ジョイスティック、感応性グローブ、またはカーソルを位置決めする任意の他の制御システムによって実施される装置。
【外国語明細書】
2019176499000001.pdf